(57)【要約】【課題】散水の際に配管又はホースを介さずに固定タンクから散水手段に給水可能な散水システムの散水用タンクを提供する。【解決手段】本発明の散水用タンク３は、貯水を行う固定タンク１が備える吐水接続口１１に直接又は連通部材６を介して連通接続される給水接続口４１を有し、前記固定タンク１から供給される水を貯水する可動タンク４と、前記可動タンク４内の水を散水する散水手段５と、を備えている。【選択図】図１
2012072553.tif 000002
【特許請求の範囲】
【請求項１】
貯水を行う固定タンクが備える吐水接続口に直接又は連通部材を介して連通接続される給水接続口を有し、前記固定タンクから供給される水を貯水する可動タンクと、
前記可動タンク内の水を散水する散水手段と、
を備えていることを特徴とする散水用タンク。
【請求項２】
前記可動タンクが、内部が貯水空間となる貯水部の下端部に前記給水接続口を有することを特徴とする請求項１記載の散水用タンク。
【請求項３】
前記可動タンクが、前記給水接続口を開閉する開閉弁を有していることを特徴とする請求項１又は２記載の散水用タンク。
【請求項４】
前記可動タンクが、移動するための車輪を有していることを特徴とする請求項１乃至３のいずれか一項に記載の散水用タンク。
【請求項５】
前記可動タンクが、前記貯水部の上端部に開閉自在な弁が設けられ、前記弁を開に維持する維持手段を備えていることを特徴とする請求項１乃至４のいずれか一項に記載の散水用タンク。
【請求項６】
前記可動タンクが、前記貯水部の下端部に排水口を有することを特徴とする請求項１乃至５のいずれか一項に記載の散水用タンク。
【請求項７】
前記排水口が、前記給水接続口を兼ねることを特徴とする請求項６記載の散水用タンク。
【請求項８】
前記散水手段が、手動圧縮ポンプと電動ポンプの両方を備えることを特徴とする請求項１乃至７のいずれか一項に記載の散水用タンク。
【発明の詳細な説明】
【技術分野】
【０００１】
本発明は、固定タンクより供給される水を貯水及び散水することが可能な散水用タンクに関する。
【背景技術】
【０００２】
従来、固定タンクに貯水しておき、散水が必要となったときにその固定タンク内の水を利用できるよう構成された散水システムが知られている（例えば、特許文献１，２参照）。特許文献１に記載された散水システムは、固定タンクと、この固定タンクの内部に連通する放水部とを備えており、この放水部によって、固定タンク内に貯められた水を外部に放水するようになっている。この放水部は固定タンクに固定された配管を介して設置されている。このため、この放水部及びその配管は、共に固定タンクから取り外すことができないものである。
【０００３】
また特許文献２に記載されたものも、貯水槽本体にホースが固定されており、このホースを介して貯水槽本体内の水を外部に放出するよう構成されている。このホースも、特許文献１のものと同様に、当該貯水槽本体から取り外すことができないものである。
【先行技術文献】
【特許文献】
【０００４】
【特許文献１】特開２００３−１０５８０９号公報
【特許文献２】特開２００３−３０１４８２号公報
【発明の概要】
【発明が解決しようとする課題】
【０００５】
ところで上記特許文献１，２に記載されたものは、いずれも固定タンク或いは貯水槽に対し、配管又はホースが固定されており、配管又はホースを介して固定タンクから供給される水が放水部から放水（散水）される。放水部は、放水中も配管又はホースと一緒に移動するため煩わしく邪魔になり、また、放水部の移動は配管又はホースの長さに依存するものであった。
【０００６】
本発明は、上記事情に鑑みてなされたものであり、その目的とするところは、散水の際に配管又はホースを介さずに固定タンクから散水手段に給水可能な散水システムの散水用タンクを提供することにある。
【課題を解決するための手段】
【０００７】
本発明の散水用タンクは、貯水を行う固定タンクが備える吐水接続口に直接又は連通部材を介して連通接続される給水接続口を有し、前記固定タンクから供給される水を貯水する可動タンクと、
前記可動タンク内の水を散水する散水手段と、
を備えていることを特徴とする。
【０００８】
また、前記可動タンクが、内部が貯水空間となる貯水部の下端部に前記給水接続口を有することが好ましい。
【０００９】
また、前記可動タンクが、前記給水接続口を開閉する開閉弁を有していることが好ましい。
【００１０】
また、前記可動タンクが、移動するための車輪を有していることが好ましい。
【００１１】
また、前記可動タンクが、前記貯水部の上端部に開閉自在な弁が設けられ、前記弁を開に維持する維持手段を備えていることが好ましい。
【００１２】
また、前記可動タンクが、前記貯水部の下端部に排水口を有することが好ましい。
【００１３】
また、前記排水口が、前記給水接続口を兼ねることが好ましい。
【００１４】
また、前記散水手段が、手動圧縮ポンプと電動ポンプの両方を備えることが好ましい。
【発明の効果】
【００１５】
本発明の散水システムによれば、散水の際に配管又はホースを介さずに固定タンクから散水手段に給水可能となる。
【図面の簡単な説明】
【００１６】
【図１】実施形態１の散水システムを設置した状態の正面図である。
【図２】同上の実施形態の散水システムを設置した状態の背面図である。
【図３】同上の実施形態の可動タンクの斜視図である。
【図４】（ａ）（ｂ）は、同上の実施形態の開閉弁の構造を説明するための要部断面図である。
【図５】固定タンクを並設して接続した状態を示す正面図である。
【図６】（ａ）（ｂ）は、実施形態２の散水システムの斜視図である。
【図７】実施形態３の散水システムを設置した状態の正面図である。
【図８】同上の実施形態の散水システムを設置した状態の背面図である。
【図９】（ａ）（ｂ）は、同上の実施形態の開閉弁の構造を説明するための要部断面図である。
【図１０】実施形態１〜３の変形例の散水システムを説明するための正面図である。
【図１１】実施形態１〜３の更なる変形例の散水システムを説明するための正面図である。
【図１２】実施形態４の散水システムを示し、（ａ）は当接部が把持部の下面と当接していない場合の正面図であり、（ｂ）は当接部が把持部の下面と当接している場合の正面図である。
【図１３】実施形態４の変形例において当接部が把持部の下面と当接していない場合を示し、（ａ）は側面図であり、（ｂ）は正面図である。の散水システムを説明するための正面図である。
【図１４】同上の変形例において当接部が把持部の下面と当接している場合を示し、（ａ）は側面図であり、（ｂ）は正面図である。
【図１５】実施形態５の散水システムにおける散水用タンクの断面図である。
【図１６】実施形態６の散水システムにおける散水用タンクの断面図である。
【発明を実施するための形態】
【００１７】
以下、散水用タンク３の実施形態について、散水システム全体の実施形態を説明することにより説明する。なお説明の便宜上、固定タンク１の説明においては蛇口部１６が設けられた側を前方として説明する。
【００１８】
実施形態１の散水システムは、固定タンク１内に雨水を貯めることができるようになっており、ユーザーがこの雨水を、散水に利用したりバケツなどに汲んで利用したり等種々の用途に利用できる。散水システムは、図１に示されるように、雨水を貯水することができる固定タンク１と、この固定タンク１を利用して散水を行なう散水用タンク３とを備えている。
【００１９】
固定タンク１は、地面９４０などの設置面９４に載置固定され、その内部に雨樋９から流入した水を収容する。固定タンク１は、有底円筒状のタンク本体１０と、タンク本体１０の上方の開口を覆う蓋体２０とを備えている。
【００２０】
タンク本体１０は、樹脂により形成されており、平面視略楕円形をしている。タンク本体１０は、その下端にそれぞれが離間した一対の脚部１３を有しており、この脚部１３内にも貯水が可能となっている。タンク本体１０は、上下方向の中間部分に補強のための環状凹部１４が複数設けられている。タンク本体１０は、図２に示されるように、タンク本体１０への給水口として、後面上部に、雨樋９の雨樋分岐路９１が接続される雨樋接続口１２を有している。この雨樋接続口１２は、雨樋分岐路９１が接続されることで雨樋９内と連通するようになっており、雨樋９の雨水をタンク本体１０内に流入させる。またタンク本体１０は、その雨樋接続口１２と略同じ高さにオーバーフロー用排水口１５が穿設されている。このオーバーフロー用排水口１５は、住宅の排水系に連通するようになっており、タンク本体１０内の水が所定の容量を超えた場合に、その超過した水を住宅の排水系に流出させる。タンク本体１０は、上方が開口しており、その開口を通して内部に雨水等を流入させることもできる。
【００２１】
タンク本体１０は、図１，２に示されるように、前面下部に蛇口部１６が設けられている。この蛇口部１６は、タンク本体１０の下部に設けられた凹没部１７の奥面に設けられており、当該凹没部１７内に収容されてタンク本体１０の前面から突出しないようになっている。ユーザーは、この蛇口部１６を介して手動で固定タンク１内の水を外部に流出させることができる。またタンク本体１０は、図１に示されるように、脚部１３の対向する側壁にそれぞれ排水口１８を有しており、この排水口１８は蓋１９により開閉自在に閉塞される。またタンク本体１０は、図２に示されるように、この蛇口部１６とは別に吐水接続口１１を有している。
【００２２】
この吐水接続口１１は、タンク本体１０の下部に設けられており、脚部１３の下面から所定の寸法だけ上方に位置している。この吐水接続口１１は、散水用タンク３が着脱自在に接続されるようになっており、その開口に後述の開閉弁７が取り付けられている。本実施形態の固定タンク１は、この吐水接続口１１が同じ高さ位置に２つ設けられている。
【００２３】
蓋体２０は、タンク本体１０の上方の開口を閉塞するようにして取り付けられる。この蓋体２０は、図示しないが、その外縁を囲む枠体と、その枠体内に設けられタンクの上方開口を閉塞する天板とを備えており、これら枠体と天板とが一体成形された樹脂成形品である。蓋体２０は、枠体の内周縁に、タンク本体１０の上方開口の外周縁に設けられた係止部（図示せず）に係合する被係止部（図示せず）が設けられており、タンク本体１０に固定されるよう構成されている。
【００２４】
なおこの蓋体２０は、係合構造により固定タンク１に固定されるものでなくてもよい。例えば、蓋体２０は、固定タンク１にねじにより固定されるものであってもよい。
【００２５】
散水用タンク３は、固定タンク１の吐水接続口１１に着脱自在に接続され、固定タンク１内の水を外部に散水する装置である。この散水用タンク３は、図１，２に示されるように、ユーザーが所望の位置に移動できるような大きさとされた可動タンク４と、この可動タンク４に取り付けられた散水手段５と、を備えたものであり、本実施形態では連通部材６により固定タンク１に連通接続される。
【００２６】
可動タンク４は、内部が貯水空間となる貯水部４０を備え、固定タンク１よりも小さく形成されている。この可動タンク４は、図３に示されるように、その下部に当該可動タンク４を起立した姿勢に保持させる支持部４３が設けられている。可動タンク４は、その支持部４３に回転自在な車輪４２が設けられており、ユーザーが当該可動タンク４を傾倒させると、この車輪４２が設置面９４に当接し、回転自在な車輪４２により支持されるよう構成されている。これによりユーザーは、可動タンク４を傾倒させたまま押したり引いたりすることで、当該可動タンク４を、内部に水が貯められた状態でも容易に移動させることができる。
【００２７】
可動タンク４は、貯水部４０の下端部に吐水接続口１１に直接又は連通部材６を介して連通接続される給水接続口４１が設けられるもので、本実施形態では支持部４３における車輪４２が設けられた側とは反対側に設けられている。この給水接続口４１は、可動タンク４の内部と連通しており、その開口に後述の開閉弁７が取り付けられている。給水接続口４１は、連通部材６が着脱自在に連結されるよう構成されており、当該連通部材６が装着されると、固定タンク１の吐水接続口１１に連通するようになっている。
【００２８】
開閉弁７は、非接続状態で開口を閉塞し且つ接続状態で開口を開放するよう構成されている。開閉弁７は、固定タンク１の吐水接続口１１・可動タンク４の給水接続口４１・連通部材６の両端の各被接続口のいずれにも設けられている。
【００２９】
ここで、この開閉弁７の構造を、第１の接続部７０と第２の接続部８０との接続構造に基づいて説明する。図４に、この第１の接続部７０と第２の接続部８０との接続状態を表した図を示す。
【００３０】
第１の接続部７０に設けられた開閉弁７（第１の開閉弁７１）は、第１の開口７００を閉塞するよう当該開口周縁に固設されると共に内外を貫通する貫通孔７３を有するゴム製のカバー体７２と、貫通孔７３を内方から閉塞する閉塞体７４を有する弁体７５とを備える。第１の開閉弁７１は、閉塞体７４が貫通孔７３を塞ぐようカバー体７２に向けて弁体７５を付勢するコイルばねからなる付勢体７６をさらに備えている。弁体７５は、外方に向けて突出するスライド突起７７を有しており、当該スライド突起７７がカバー体７２の貫通孔７３を挿通するようにして取り付けられる。また弁体７５は、スライド突起７７とは反対側に突出するガイド突起７８を有している。このガイド突起７８が第１の接続部７０側に固設された第１のガイド部７９に挿入されることで、弁体７５がスライド移動自在となる。
【００３１】
第１の開閉弁７１において弁体７５のスライド突起７７を、その付勢力に抗するようにして押圧すると、ガイド突起７８が第１のガイド部７９に沿って移動する。すると弁体７５の閉塞体７４は、カバー体７２と離間し、第１の開口７００を開放する。一方、このスライド突起７７の押圧状態を解くと、弁体７５の閉塞体７４は、付勢体７６の付勢力によりカバー体７２に押し付けられ、第１の開口７００を閉塞する。
【００３２】
第２の接続部８０に設けられた開閉弁７（第２の開閉弁８１）は、第２の開口８００を閉塞するよう当該開口周縁に固設されると共に内外を貫通する貫通孔８３を有するゴム製のカバー体８２と、貫通孔８３を内方から閉塞する閉塞体８４を有する弁体８５とを備える。第２の開閉弁８１は、閉塞体８４が貫通孔８３を塞ぐようカバー体８２に向けて弁体８５を付勢するコイルばねからなる付勢体８６をさらに備えている。この弁体８５は、第１の接続部７０のスライド突起７７に当接する被押圧部８７を有している。また、弁体８５は、被押圧部８７とは反対側に突出するガイド突起８８を有している。このガイド突起８８が第２の接続部８０側に固設された第２のガイド部８９に挿入されることで、弁体８５がスライド移動自在となる。なお本実施形態の第２の開閉弁８１の付勢体８６は、第１の開閉弁７１の付勢体７６とは異なるばね定数となっており、具体的にそのばね定数は、第１の開閉弁７１の付勢体７６よりも小さく設定されている。
【００３３】
この第２の開閉弁８１も、第１の開閉弁７１と同様に、被押圧部８７をその付勢力に抗するようにして押圧すると、ガイド突起８８が第２のガイド部８９に沿って移動する。すると弁体８５の閉塞体８４は、カバー体８２と離間し、第２の開口８００を開放する。一方、この被押圧部８７の押圧状態を解くと、弁体８５の閉塞体８４は、付勢体８６の付勢力によりカバー体８２に押し付けられ、第２の開口８００を閉塞する。
【００３４】
第１の開閉弁７１のスライド突起７７を第２の開閉弁８１の被押圧部８７に当接するようにして、第１の接続部７０を第２の接続部８０に近づけていくと、スライド突起７７が被押圧部８７を押圧し、第２の開閉弁８１を開放させる。さらに第１の接続部７０を押し込んでいくと、第２の開閉弁８１の弁体８５は、そのガイド突起８８が第２のガイド部８９の底面に当接してスライド移動が規制され、第１の開閉弁７１のスライド突起７７を第１の開閉弁７１の付勢力に抗して押し返す。そして第１の開閉弁７１は、第２の開閉弁８１の開放とほぼ同時に開放する。
【００３５】
本実施形態の開閉弁７は、上記のように、固定タンク１の吐水接続口１１・可動タンク４の給水接続口４１・連通部材６の両端の各被接続口に設けられている。そして本実施形態の散水システムは、固定タンク１の吐水接続口１１と可動タンク４の給水接続口４１とが、連通部材６を介して接続され、そのうえ、この吐水接続口１１と給水接続口４１とが、直接、連結可能なようにも構成されている。つまり、本実施形態の散水システムは、吐水接続口１１と前記給水接続口４１との接続が、直接連結される場合と連通部材６を介して接続される場合とで、選択可能とされている。
【００３６】
例えば、次のように構成される。固定タンク１の吐水接続口１１が第１の接続部７０を構成し、可動タンク４の給水接続口４１が第２の接続部８０を構成する。また連通部材６は、吐水接続口１１に接続される側の端部が第２の接続部８０を構成し、その反対側の端部が第１の接続部７０を構成する。もちろん、この構成において、第１の接続部７０と第２の接続部８０とを入れ替えた構成とすることも可能である。
【００３７】
このように固定タンク１の吐水接続口１１に、直接又は連通部材６を介して可動タンク４の給水接続口４１が連通接続されると、固定タンク１内の貯水の水頭圧により、固定タンク１と可動タンク４との水面が同レベルとなるまで、固定タンク１内の水が可動タンク４内に移動する。このように本実施形態の散水システムは、固定タンク１内の水を可動タンク４に移動させる移水手段が、固定タンク１の貯水の水頭差を利用したものである。
【００３８】
散水手段５は、図３に示されるように、可動タンク４内の水を外部に散水するために設けられる。散水手段５は、可動タンク４内に連通する散水ホース５１と、散水ホース５１の先端に取り付けられてシャワー流や直線流等といった噴出形状を切り替えたり流水を閉止させたりする噴射部５２と、可動タンク４内を加圧する手動圧縮ポンプ５３とを備えている。この散水ホース５１における噴射部５２が設けられた側とは反対側の端部は、可動タンク４内の水に没入している。
【００３９】
この手動圧縮ポンプ５３は、気密状態でスライド自在とされると共に可動タンク４に取り付けられたピストンシャフト５４と、ピストンシャフト５４の突出先端に設けられた把持部５５とを有している。ユーザーが、噴射部５２を閉塞した状態でピストンシャフト５４をスライド往復動させると、可動タンク４内に空気が入り込むと共に可動タンク４内の空気が圧縮され、当該可動タンク４内の気圧が高くなって蓄圧される。この状態で噴射部５２を開放すると、可動タンク４内の水が、高圧となった可動タンク４内部の気圧により押し出され、噴射部５２を介して外部に放出される。
【００４０】
本実施形態の把持部５５は可動タンク４の把持部も兼ねている。したがってユーザーは、この把持部５５を把持して可動タンク４を移動させることができ、所望の位置に可動タンク４を運ぶことが容易となる。しかも可動タンク４は、この把持部５５以外には把持部が設けられていないため、外観がシンプルとなる。
【００４１】
本実施形態の散水システムは、図１，２に示されるように、固定タンク１が設置面９４としての地面９４０に固設される。固定タンク１は、その雨樋接続口１２に、雨樋９（竪樋）の雨樋分岐部材９２から分岐した雨樋分岐路９１が連通接続されている。この雨樋分岐部材９２は、雨樋９の途中に取り付けられ、当該雨樋９の内壁に沿って流下する雨水を外部に取り出すための部材である。本実施形態の散水システムは、雨樋９と雨樋分岐部材９２と雨樋分岐路９１とで雨水導入手段が構成されており、雨が降ると固定タンク１内に雨水が貯溜されるよう構成されている。また、固定タンク１は、オーバーフロー用排水口１５が、ホース又は配管を介して雨樋９の途中に設けられた雨樋合流部材９３に連通接続されており、固定タンク１の水が所定の容量を超えた場合に、その超過した水を雨樋９に戻すよう構成されている。
【００４２】
また、この固定タンク１は、図５に示されるように、２つ以上並べて設置することも可能である。本実施形態の固定タンク１は、上述の通り、吐水接続口１１が２つ設けられているため、一方の吐水接続口１１に散水用タンク３が装着され、他方の吐水接続口１１に連通部材６を介して隣接する他の固定タンク１の吐水接続口１１が連通接続される。
【００４３】
このような構成の散水システムは、固定タンク１の吐水接続口１１に散水用タンク３が着脱自在に接続されているため、ユーザーは、固定タンク１とは別の場所に散水用タンク３を収納することが可能となる。また、固定タンク１の吐水接続口１１に対して、直接、散水用タンク３の給水接続口４１を取り付けたり、また連通部材６を介して取り付けたり、といったことをユーザーが選択的に行なえ、使い勝手を向上させる。
【００４４】
また本実施形態の散水システムは、固定タンク１に雨樋接続口１２が設けられており、雨水が貯められるよう構成されているため、ユーザーが雨水を手軽に利用することができ、節水効果も高い。
【００４５】
また固定タンク１に貯められた水が、可動タンク４に移し替えられて持ち運び可能とされるので、ユーザーは、散水範囲が限定されず所望の場所に散水することができる。しかもこの可動タンク４は、車輪４２により支持されているため、満水状態となり重くなってしまったとしても、ユーザーは簡単に移動させることができる。
【００４６】
また固定タンク１の吐水接続口１１と可動タンク４の給水接続口４１は開閉弁７を有しているため、ユーザーが固定タンク１から可動タンク４を離脱しても、各タンクの接続口１１，４１から水が流出するのを防ぐことができる。しかも本実施形態の開閉弁７が、非接続状態で開口を閉塞し且つ接続状態で開口を開放するよう構成されているため、ユーザーの接続動作に従って開閉弁７を動作させることができ、使い勝手を向上させる。
【００４７】
さらに本実施形態の可動タンク４は、手動圧縮ポンプ５３により内部が加圧されても、給水接続口４１の開閉弁７の弁体７５をカバー体７２に押し付ける方向に圧力が作用するため、給水接続口４１からの水の漏れが手動圧縮ポンプ５３の加圧により一層防止される。
【００４８】
また本実施形態の散水システムは、固定タンク１の下部に吐水接続口１１が設けられており、固定タンク１内の水頭圧を利用して、固定タンク１内の水を可動タンク４に移動させるため、移水のためのポンプを省略することができる。これにより商品のコストダウンが可能となるばかりか、ユーザーのランニングコストの削減を図ることもできて経済的である。
【００４９】
また本実施形態の散水システムでは、固定タンク１を複数連設することも可能であるため、固定タンク１を増設するだけで、ユーザーの要望に応じた貯水容量を確保することができる。この結果、同一形状の固定タンク１を大量生産することができて、コストダウンを図ることができるうえに、在庫管理が容易となる。
【００５０】
なお本実施形態の散水システムでは、固定タンク１に雨水を貯水するだけのものであったが、本発明では、固定タンク１内に水位計測手段を設け、貯水が所定の水位以下となった際に固定タンク１に水道水を供給するよう構成してもよい。
【００５１】
次に、実施形態２について図６に基づいて説明する。なお、本実施形態は実施形態１と大部分において同じであるため、同じ部分においては同符号を付して説明を省略し、主に異なる部分について説明する。
【００５２】
実施形態２の散水システムは、固定タンク１の吐水接続口１１及び可動タンク４の給水接続口４１がそれぞれ２つずつ並設されている点及び連通部材６の構造が実施形態１とは異なっており、それ以外の構造は実施形態１と同じである。なおこの吐水接続口１１及び給水接続口４１及び連通部材６には、上記開閉弁７は設けられていない。また、固定タンク１は、図５のように複数の固定タンクを接続するための吐水接続口１１が、上記吐水接続口１１とは別に設けられている。
【００５３】
固定タンク１は、可動タンク４の給水接続口４１が連通接続される吐水接続口１１として、第１の吐水接続口１１０と第２の吐水接続口１１１とを備えており、これらに連通部材６が着脱自在に取り付けられる。また可動タンク４も、給水接続口４１として第１の給水接続口４１０と第２の給水接続口４１１とが２つ設けられており、これらに連通部材６が着脱自在に取り付けられる。
【００５４】
連通部材６は、第１の吐水接続口１１０と第１の給水接続口４１とを連通する第１の連通部材６１と、第２の吐水接続口１１と第２の給水接続口４１とを連通する第２の連通部材６２とを備える。この第１の連通部材６１及び第２の連通部材６２は、途中に分割部６３を有している。分割部６３は、雄型分割体６４と雌型分割体６５とを有しており、これらが嵌合接続されることで一体となって各内部が連通する。連通部材６は、固定タンク１側に、第１の連通部材６１の雄型分割体６４と第２の連通部材６２の雌型分割体６５とが位置するよう固定タンク１に取り付けられる。また連通部材６は、可動タンク４側に、第１の連通部材６１の雌型分割体６５と第２の連通部材６２の雄型分割体６４とが位置するよう可動タンク４に取り付けられる。
【００５５】
連通部材６は、図６（ｂ）のように、第１の連通部材６１の雄型分割体６４と第２の連通部材６２の雌型分割体６５とが互いに接続され、また第１の連通部材６１の雌型分割体６５と第２の連通部材６２の雄型分割体６４とが互いに接続されるよう構成される。これにより本実施形態の固定タンク１は、第１の吐水接続口１１と第２の吐水接続口１１とを連通接続可能である。また同様に、可動タンク４は、第１の給水接続口４１と第２の給水接続口４１とを連通接続可能である。
【００５６】
このように本実施形態の散水システムは、固定タンク１の吐水接続口１１同士、及び可動タンク４の給水接続口４１同士をそれぞれ接続できるよう構成されている。固定タンク１の吐水接続口１１同士、及び可動タンク４の給水接続口４１同士をそれぞれ接続すれば、吐水接続口１１及び給水接続口４１に開閉弁７が設けられていなくとも、止水した状態で固定タンク１と可動タンク４とを分離させることができる。
【００５７】
次に、実施形態３について図７〜９に基づいて説明する。なお、本実施形態は実施形態１と大部分において同じであるため、同じ部分においては同符号を付して説明を省略し、主に異なる部分について説明する。
【００５８】
実施形態３の散水システムは、連通部材６の構造と、可動タンク４に設けられた給水接続口４１の構造とが、実施形え態１のものとは異なっており、それ以外の構造は実施形態１と同じである。
【００５９】
固定タンク１は、タンク本体１０の吐水接続口１１に、連通部材６が着脱自在に取り付けられている。この連通部材６は、その一端が吐水接続口１１に連通接続されるホース２３と、このホースの他端に連通接続される基台２４とを備えている。この基台２４は、設置面９４に載置される座部２５と、この座部２５に固設された略Ｌ字状の継手部２６を有している。この継手部２６は、上方に向けて突出する筒状部２７を有しており、この筒状部２７に上方に向けて開口する供給口２９が設けられている。また継手部２６は、水平方向に開口する取付口２８をさらに有しており、この取付口２８に、固定タンク１の吐水接続口１１に接続されたホース２３が連通接続される。供給口２９は、図９に示されるように、実施形態１と同様の構成の開閉弁７（第２の開閉弁８１）が取り付けられている。なおこのホース２３は、配管であってもよい。
【００６０】
可動タンク４は、その下面に凹部４４が設けられている。この凹部４４の奥面に給水接続口４１が設けられている。この給水接続口４１は、実施形態１と同様の構成の開閉弁７（第１の開閉弁７１）が取り付けられている。なお図９（ａ）に示されるように、第１の開閉弁７１のスライド突起７７は、凹部４４内に収容されており、可動タンク４底面よりも下方に突出していない。
【００６１】
可動タンク４の給水接続口４１は、実施形態１における第１の接続部７０に相当し、基台２４の供給口２９は、第２の接続部８０に相当する。このため、開閉弁７の構造に対する詳細な説明は省略する。
【００６２】
ユーザーが、可動タンク４を基台２４近傍に移動させ、可動タンク４の底面の凹部４４内に継手部２６を挿入するようにして、可動タンク４を車輪４２を中心にして起立させ筒状部２７に載設すると、第１の開閉弁７１と第２の開閉弁８１が共に開放する。そして固定タンク１の吐水接続口１１は、可動タンク４内部と連通し、固定タンク１内の貯水の水頭圧により、固定タンク１内の水が可動タンク４内に移動する。可動タンク４への移水が終了した後、ユーザーが可動タンク４を持ち上げると、第１の開閉弁７１と第２の開閉弁８１は共に閉塞する。
【００６３】
このように本実施形態の散水システムは、可動タンク４に水を供給するに当たり、ユーザーが基台２４上に可動タンク４を載設するだけでよいため、手を汚さずとも給水することができるという利点がある。さらに、可動タンク４の自重によって、第１の開閉弁７１と第２の開閉弁８１のカバー体７２，８２同士がより密着するため、給水時の漏れを防止できる。また、筒状部２７の供給口２９と給水接続口４１との接続が、可動タンク４の自重により所定の位置で確実に接続できるから、接続不良となりにくい。
【００６４】
なお実施形態１〜４の散水システムは、固定タンク１の吐水接続口１１が下部に設けられ水頭差を利用して移水するよう構成されていたが、本発明の散水システムは、ポンプを用いて移水してもよく、この点は必ずしも必要な構成ではない。例えば図１０、図１１に示すように、移水手段として、実施形態１〜４の構成のように主に水頭圧を利用して移水を行い、残水が少ない時などのように水頭圧が小さい場合に、補助的にポンプ４５を用いて移水するものであってもよい。図１０に示される変形例は、可動タンク４にポンプ４５が設けられた例であり、図１１に示される変形例は、連通部材６にポンプ６６が設けられた例である。図１０、図１１に示される散水システムのポンプ４５、６６は、補助的に使用されるものであるため、小型ポンプが使用されており、乾電池により駆動させることができるものである。そのため、交流電源を使用する場合に必要なポンプ駆動用の電源コードが、この実施形態では不要となっており、ポンプ４５、６６を内蔵していても可動タンク４の移動範囲を制限することもない。
【００６５】
また実施形態１〜３の散水システムは、固定タンク１が雨水を貯水するものであったが、本発明の散水システムは、水道水から給水を受けるものであってもよく、雨水に限定されるものではない。したがって本発明においては、雨樋接続口は必ずしも必要な構成ではない。
【００６６】
また実施形態１，３の散水システムは、各開口に開閉弁７が設けられていたが、本発明の散水システムは、ユーザーが自ら開口を蓋やキャップ等で閉塞するものであってもよく、開閉弁は必ずしも必要な構成ではない。また、可動タンク４は、ユーザーが持ち上げて移動させるものであってもよいため、本発明の可動タンクには車輪が必ずしも必要な構成ではない。
【００６７】
次に、実施形態４について図１２に基づいて説明する。なお、本実施形態は実施形態１乃至実施形態３と大部分において同じであるため、同じ部分においては同符号を付して説明を省略し、主に異なる部分について説明する。
【００６８】
実施形態４の散水システムにおいては、固定タンク１及び連通部材６は実施形態１乃至実施形態３のいずれかと同じであると共に、可動タンク４が、弁４６及び維持手段４７を備える点が異なるものである。
【００６９】
弁４６は、貯水部４０の上端部に形成される開口に設けられ、該開口を自在に開閉するものである。弁４６は、挿通部材４６１と、閉塞体（図示せず）と、当接部（図示せず）と、把持部４６２とを備えている。挿通部材４６１は、開口内に挿通される例えば軸状をしたもので、その径は開口の径よりも小さい。閉塞体は、挿通部材４６１に設けられもので、開口縁に上方より当接して開口を閉塞し、開口縁から上方に離れて開口を開放する。当接部は、挿通部材４６１に設けられる例えばフランジ状をしたもので、後述する付勢体（図示せず）が当接するものである。把持部４６２は、挿通部材４６１の上端部に設けられ、挿通部材４６１の径よりも大きい径を有するものである。付勢体は、可動タンク４に設けられ、挿通部材４６１を下方に付勢するもので、例えば当接部の上面と可動タンク４の内壁の天面との間に圧縮された状態で介装される。なお、挿通部材４６１や当接部等の形状や、付勢体による付勢のされ方は前記に限定されない。
【００７０】
この弁４６は、力が加えられない状態では、付勢体の付勢力により挿通部材４６１が下方に付勢されて、閉塞体が開口を閉塞する。そして、挿通部材４６１が付勢体の付勢力に抗して上方に付勢されると、開口が開放される。
【００７１】
可動タンク４は、手動圧縮ポンプ５３により貯水空間の水を吐出させるため、貯水空間は密閉されている。このため、給水接続口４１より給水する際には、弁４６を開放して貯水空間内の空気を逃がすものであり、弁４６は減圧弁として作用する。
【００７２】
そして、維持手段４７は、弁４６を開に維持するものである。本実施形態では、可動タンク４の貯水部４０の上面に把持部４６２の下面に当接する当接部４６３が突設されており、把持部４６２と当接部４６３とで維持手段４７が構成される。また挿通部材４６１は、軸周りに回動自在となっている。
【００７３】
図１２（ａ）に示すように、当接部４６３が把持部４６２の下面と当接していない場合には、挿通部材４６１にて開口が閉塞される。図１２（ｂ）に示すように、挿通部材４６１が上方に引き上げられて当接部４６３の上面が把持部４６２の下面と当接している場合には、開口が開放される。
【００７４】
上記維持手段４７により、弁４６の開が維持され、給水をスムーズに行うことが可能となる。
【００７５】
また、実施形態４の変形例について図１３及び図１４に基づいて説明する。この変形例は、把持部４６２がカム部４６４を備える点が異なるものである。
【００７６】
把持部４６２は、平面視略円形状をしており、その周縁部の一部の下面に、位置が周方向に移動するに従って下方への突出長さが長くなるカム部４６４が形成されている。図１３及び図１４においては、カム部４６４の下面は傾斜面となっているが、略水平な面が段階的に並設されていてもよい。また、挿通部材４６１は、軸周りに回動自在となっている。可動タンク４の貯水部４０の上面に、カム部４６４の一部に当接する当接部４６３が突設されており、カム部４６４と当接部４６３とで維持手段４７が構成される。当接部４６３の上面は、図１３及び図１４に示すようにカム部４６４の下面が傾斜面の場合には同様の傾斜面に形成されるが、カム部４６４の下面として略水平な面が段階的に形成されている場合には、略水平な面に形成される。
【００７７】
図３に示すように、当接部４６３がカム部４６４の上端部と当接している場合には、挿通部材４６１はストロークの下端位置に位置して開口が閉塞される。図１４に示すように、当接部４６３がカム部４６４の下端部と当接している場合には、挿通部材４６１はストロークの上端位置に位置して開口が開放される。
【００７８】
上記維持手段４７により、弁４６の開が維持され、給水をスムーズに行うことが可能となる。
【００７９】
次に、実施形態５について図１５に基づいて説明する。なお、本実施形態は実施形態１乃至実施形態４と大部分において同じであるため、同じ部分においては同符号を付して説明を省略し、主に異なる部分について説明する。
【００８０】
実施形態５の散水システムにおいては、固定タンク１及び連通部材６は実施形態１乃至実施形態４のいずれかと同じであると共に、可動タンク４が、排水口４８を備える点が異なるものである。
【００８１】
排水口４８は、貯水部４０の下端部に形成されるもので、該排水口４８を開閉する蓋４８１又は弁が設けられる。これにより、内部に貯まっている水を排水することができる。貯水部４０には、雑巾やブラシ等の清掃用具が挿通可能な挿通口４９が形成されていてもよい。挿通口４９には、蓋４９１が着脱自在に装着される。図中の符号５６は逆止弁を示す。これにより、内部に貯まっている水を排水した後、貯水部４０の内部を清掃することができる。また、挿通口４９を貯水部４０の上端部に形成して、弁４６の開口として兼ねてもよい。
【００８２】
なお、給水接続口４１が貯水部４０の下端部に設けられる場合には、排水口４８が該給水接続口４１を兼ねてもよく、この場合には、構成を減らすことができる。
【００８３】
次に、実施形態６について図１６に基づいて説明する。なお、本実施形態は実施形態１乃至実施形態５と大部分において同じであるため、同じ部分においては同符号を付して説明を省略し、主に異なる部分について説明する。
【００８４】
実施形態６の散水システムにおいては、固定タンク１及び連通部材６は実施形態１乃至実施形態５のいずれかと同じであると共に、可動タンク４が、手動圧縮ポンプ５３と電動ポンプ５７の両方を備える点が異なるものである。
【００８５】
図中の符号５８は、切り替え手段を構成する弁体を示す。この弁体５８により、図示しないが電動又は手動により散水ホース５１を手動圧縮ポンプ５３側と連通させたり、電動ポンプ５７側と連通させたり、あるいは手動圧縮ポンプ５３側と電動ポンプ５７側の両方に連通させたりすることができる。
【００８６】
電動ポンプ５７を用いる場合には、バッテリーや電池の使用によるランニングコストがかかるものの、使用者の労力は小さくて済む。これに対し、手動圧縮ポンプ５３を用いる場合には、バッテリーや電池の使用によるランニングコストがかからないものの、使用者の労力が大きくなってしまう。実施形態６においては、使用者の好みや気分に応じて使い分けることができる。また、切り替え手段により散水ホース５１を手動圧縮ポンプ５３側と電動ポンプ５７側の両方に連通させることで、噴射部５２から噴射する水の水量や水勢を増大させることができる。
【符号の説明】
【００８７】
１      固定タンク
１０    タンク本体
１１    吐水接続口
１６    蛇口部
１７    凹没部
３      散水用タンク
４      可動タンク
４１    給水接続口
４２    車輪
４３    支持部
５      散水手段
５１    散水ホース
５２    噴射部
５３    手動ポンプ
５４    ピストンシャフト
５５    把持部
６      連通部材
７      開閉弁
９      雨樋
【図１】
2012072553.tif 000003
【図２】
2012072553.tif 000004
【図３】
2012072553.tif 000005
【図４】
2012072553.tif 000006
【図５】
2012072553.tif 000007
【図６】
2012072553.tif 000008
【図７】
2012072553.tif 000009
【図８】
2012072553.tif 000010
【図９】
2012072553.tif 000011
【図１０】
2012072553.tif 000012
【図１１】
2012072553.tif 000013
【図１２】
2012072553.tif 000014
【図１３】
2012072553.tif 000015
【図１４】
2012072553.tif 000016
【図１５】
2012072553.tif 000017
【図１６】
2012072553.tif 000018